(57)【特許請求の範囲】
【請求項１】
１単位分の写真フィルムの画像コマを読み取って特定の多数コマ表示パターンでモニター画面に複数のシミュレート画像コマを表示する画像処理手段と、
前記写真フィルムの画像コマを感光材料に焼き付けるときのタイプが複数用意されており、特定の選択された画像コマに付いていずれのタイプで焼き付けるかを前記モニター画面上で順番に切り換え設定することのできるタイプ切換手段とを備え、
前記複数のタイプのうちの任意のタイプを未設定とすることのできるように構成された画像コマ選択装置において、
前記タイプ切換手段による切換操作において、前記未設定のタイプに係る前記シミュレート画像コマをスキップさせて切り換える、第１の態様で切換表示させることを特徴とする画像コマ選択装置。
【請求項２】
前記タイプ切換操作において、前記未設定のタイプに係る前記シミュレート画像を未設定である旨の表示と共に表示させる第２の態様で切り換え表示させることができ、前記第１の態様と前記第２の態様のいずれかを選択する切換態様選択手段を備えたことを特徴とする請求項１に記載の画像コマ選択装置。
【発明の詳細な説明】
【０００１】
【発明の属する技術分野】
本発明は、１単位分の写真フィルムの画像コマを読み取って特定の多数コマ表示パターンでモニター画面に複数のシミュレート画像コマを表示する画像処理手段と、前記写真フィルムの画像コマを感光材料に焼き付けるときのタイプを設定するタイプ設定手段と、前記タイプは複数用意されており、いずれの前記タイプで焼き付けるかを前記モニター画面上で順番に切り換えることのできるタイプ切換手段と、前記複数のタイプのうちの任意のタイプを未設定とすることのできるタイプ設定手段とを備えた画像コマ選択装置に関する。
【０００２】
【従来の技術】
かかる画像コマ選択装置は、写真フィルムの画像コマを印画紙のような感光材料にプリント（焼付処理）するための写真処理装置に備えられているものである。写真フィルムの画像コマをプリントする前に、画像コマを読み取って印画紙にプリントされるであろう画像情報をモニター画面にシミュレート画像として表示している。オペレータはこのシミュレート画像を見て、適切な画像にプリントされるかどうかをあらかじめ判断することができ、適切な画像にプリントすることができないと判断したときは、色補正や露出補正を行うようにしている。また、このようなシミュレート画像はモニター画面に特定の多数コマ表示パターン（例えば、１つの画面に４コマ、６コマ等）で表示するようにして作業の効率を改善している。
【０００３】
ところで、写真フィルムの画像コマを印画紙にプリントするときのタイプをモニター画面上で設定することが可能である。このタイプとは、例えばアドバンスフォトシステムと呼ばれる新写真フィルムにおける、Ｃ（クラシック）タイプ、Ｈ（ハイビジョン）タイプ、Ｐ（パノラマ）タイプがあげられる。写真フィルムの画像コマをどのようなタイプで印画紙に焼き付けるかは、画像コマの大きさをセンサーで読み取りその結果に基づいて、自動的にタイプが設定されるようになっている。しかしながら、上記センサーによる読み取りミスやユーザーの要望などにより自動的に設定されたタイプを別のタイプに設定変更したい場合もある。そのため、モニター画面上でマニュアル的にタイプを設定変更できるようにしている。具体的には、写真処理装置に備え付けられたキーボードのＣＨＧキー（チェンジキー）を操作することで図１２のように画像がＣタイプ→Ｐタイプ→Ｈタイプ→Ｃタイプの順番に循環して切換操作することができるようになっており、例えばＰタイプからＨタイプに変更するにはＣＨＧキーを１回押圧操作し、ＰタイプからＣタイプに変更するにはＣＨＧキーを２回押圧操作する。
【０００４】
さらに、複数あるタイプのうちの任意のタイプを未設定とすることができる。これは写真処理装置を扱うオペレータが、特定のタイプは別の写真処理装置で処理を行いたいと望む場合があるからである。
【０００５】
【発明が解決しようとする課題】
本発明の課題は、特定のタイプを未設定にした場合のＣＨＧキーを操作する場合のモニター画面の表示形態にあり、上記具体例で例えばＰタイプを未設定とした場合、図１２に示すようにＰタイプに対応した画像の左上に”パス”と表示させ、未設定である旨 (焼付枚数が０枚であると言う意味を含む) をオペレータに認識させるようにしていた。
【０００６】
しかしながら、図１２に示される従来技術では未設定のタイプに関してもモニター画面上に表示させるようにしているため、例えばＣタイプからＨタイプに設定変更するのにＣＨＧキーを２回操作する必要があり、作業効率が悪いという問題点があった。
【０００７】
本発明はかかる実情に鑑みてなされたものであり、その目的はタイプの設定変更の操作をするにあたり、従来技術よりも操作性を改善した画像コマ選択装置を提供することである。
【０００８】
【課題を解決するための手段】
上記目的を達成するため、本発明に係る画像コマ選択装置は、
１単位分の写真フィルムの画像コマを読み取って特定の多数コマ表示パターンでモニター画面に複数のシミュレート画像コマを表示する画像処理手段と、前記写真フィルムの画像コマを感光材料に焼き付けるときのタイプが複数用意されており、いずれのタイプで焼き付けるかを前記モニター画面上で順番に切り換え設定することのできるタイプ切換手段とを備え、さらに、前記複数のタイプのうちの任意のタイプを未設定とすることのできるように構成されており、
前記タイプ切換手段による切換操作において、前記未設定のタイプに係る前記シミュレート画像コマをスキップさせて切り換える、第１の態様で切換表示させることを特徴とするものである。
【０００９】
この構成によると、未設定のタイプに係るシミュレート画像コマはモニター画面には表示させずスキップさせて切り換えるようにしているから、切換操作が簡便なものになり操作性が改善される。例えば、先ほどの例でいうとＣタイプからＨタイプに切り換え設定するのに、従来技術ではＣＨＧキーを２回操作しなければならなかったが、本発明では１回の操作で切り換えることができるのである。
【００１０】
本発明の好適な実施形態として、前記タイプ切換操作において、前記未設定のタイプに係る前記シミュレート画像を未設定である旨の表示と共に表示させる第２の態様で切り換え表示させることができ、前記第１の態様と前記第２の態様のいずれかを選択する切換態様選択手段を備えたものがある。
【００１１】
この第２の態様は従来技術における表示態様であるが、この第１の態様と、本発明の特徴である第１の態様とのいずれかを選択できるようにしておけば、好みに応じて使い分けることができる。
【００１２】
【発明の実施の形態】
＜本実施形態の構成＞
本発明による画像コマ選択装置を採用した写真処理装置１の全体が図１に示されており、この写真処理装置１内を各種処理にともなって搬送されるネガフィルム２（ここでは、ネガフィルムは、写真フィルム１本の長さをもつネガフィルム、数コマ単位でカットされたピースネガ、アドバンスフォトシステムに準じたカ−トリッジ付きネガフィルムなどの写真フィルムの総称として使用されている）と印画紙３の搬送経路が、図２に模式的に示されている。この写真処理装置１は、ネガフィルム供給部１０と、ネガフィルム２の画像コマをペーパーマガジン４から引き出された印画紙３にプリントする露光部２０と、露光部２０にて露光済の印画紙３を現像処理する現像処理部３０と、現像処理部３０にて現像処理された印画紙３を乾燥する乾燥部４０と、乾燥された印画紙３を所定長さにカットしてプリントとして排出するプリント排出部４１と、露光部２０で使用されたネガフィルム２をカットし、必要の場合ネガシートに挿入して、排出するネガフィルム排出部１４と、ネガフィルム排出部１４から搬入された１オーダのネガフィルム２とプリント排出部４１から搬入された１オーダのプリントを仕上がり品として照合組み合わせて、オペレータによる仕上がり品取り出し位置まで搬送するトレーコンベヤ装置７０とを備えている。
【００１３】
ネガフィルム供給部１０には、１００本までのネガフィルム２をスプライステープによってつなぎ合わせたものを巻き取っているネガリール１１が２本装填可能であり、このネガリール１１から引き出されたネガフィルム２に備えられているバーコードを読み取るバーコードリーダー１２や引き出されたネガフィルム２を１オーダ毎にカットするネガカッター１３が設けられている。露光部２０には、１オーダ単位でネガフィルム２が送り込まれプリント作業が行われる。
【００１４】
露光部２０には、図３（図２と比べてネガフィルム２と印画紙３の配置が上下逆に配置されている）に示すように、フィルム搬送方向上流側に、読取用光源２１ａ、ミラートンネル２１ｂ及び撮像装置２１ｃからなるフィルム読取装置２１が設けられ、そのフィルム搬送方向下流側に、露光用光源２２ａ、調光フィルタ２２ｂ、ミラートンネル２２ｃ、ネガマスク２２ｄ、焼付レンズ２２ｅ及びシャッタ２２ｆからなる露光装置２２が設けられ、ネガフィルム供給部１０から露光部２０を通過してネガ排出部１４ヘネガフィルム２を搬送するローラ２３ａ及びそのローラ２３ａを駆動するモータ２３ｂが設けられている。
【００１５】
ローラ２３ａにて搬送されるネガフィルム２は、先ず、フィルム読取装置２１にて、その各コマ画像が読み取られ、その画像情報は写真処理装置１全体を制御するコントローラ５に送られる。コントローラ５では、フィルム読取装置２１から受け取った画像情報に基づいて、そのネガフィルム２の画像を印画紙３にプリントするためのプリント条件を求めて、該当するネガフィルム２のコマがネガマスク２２ｄの位置に搬送されて来たときに、先だって求めたプリント条件に基づいて調光フィルタ２２ｂ及びシャッタ２２ｆを制御し、印画紙３をプリントする。さらに、コントローラ５は、フィルム読取装置２１にて読み取ったネガフィルム２の画像情報を処理して、求めたプリント条件で印画紙３をプリントした場合に得られる画像のシミュレート画像をモニター５０に表示し、オペレータは、そのシミュレート画像をモニター５０にて観察して、必要に応じてキーボード６０からプリント条件を修正することかできる。このキーボード６０は後で説明するキーボード制御ユニット８０を介してコントローラ５に接続されている。
【００１６】
又、露光部２０にてプリント処理の終了したネガフィルム２は、露光装置２２のフィルム搬送方向下流側に配置されているネガ排出部１４に設けられたネガカッター２５によって６駒又は４駒毎に切断され、複数枚のネガピース２として、トレーコンベヤ装置７０へ送り出されるか、仕様によっては、図示されていないネガシート挿入装置によってネガピース２がネガシートに挿入され、このネガシートは折り畳まれた後トレーコンベヤ装置７０へ送り出される。なお、アドバンスフォトシステムに準じたネガフィルム２は、各種処理作業前にカートリッジから引き出され、処理後再びカートリッジに巻き戻されるので、プリント処理後のネガフィルム２もカートリッジに収納された状態でトレーコンベヤ装置７０へ送り出される。
【００１７】
現像処理部３０には、その図示は省略されているが、複数の現像処理タンクが備えられており、露光部２０でネガフィルム２の画像がプリントされた後、印画紙３はローラ２４ａ及びローラ２４ａを駆動するモータ２４ｂによってコレクション印字部２６を通り、現像処理部３０の現像処理タンクを順次通過することで現像処理される。なお、現像処理部３０の手前には、ループ部の存在にもかかわらず露光部２０と現像処理部３０の間で連続して印画紙３を送り続けることができない事態が生じた場合に緊急避難的に印画紙３を切断するカッター２７が設けられている。
【００１８】
現像処理後の印画紙３は、乾燥部４０で乾燥された後、プリント排出部４１に送られ、ペーパーカッター４２によってカットされることにより仕上がりプリント３となり、横送りコンベヤ４３によってトレーコンベヤ装置７０へ送り出される。４４は、何らかのトラブルで印画紙３をトレーコンベヤ装置７０に送り出せない事態が生じた場合印画紙３を長尺のままで排出するための印画紙バイパス路である。
【００１９】
コントローラ５は、図４に示すように、撮像装置２１ｃか読み取った画像データを記憶する画像情報記憶部５ｂと、画像情報記憶部５ｂの画像データを利用して露光条件を求める露光条件演算部５ｃと、露光条件演算部５ｃが求めた露光条件に基づいて露光装置２２の調光フィルタ２２ｂ及びシャッタ２２ｆの動作を制御し、印画紙３への露光を行う露光制御部５ｅと、画像情報記憶部５ｂから読み出した画像データを露光条件演算部５ｃが求めた露光条件に基づいてモニター５０に表示するための画像データに変換する画像情報変換部５ｄと、画像情報記憶部５ｂ・露光条件演算部５ｃ・画像情報変換部５ｄ・露光制御部５ｅ等の各部の動作を格納されているブログラムとキーボード６０による操作命令とに基づいて制御する中央制御部５ａとから構成されている。
【００２０】
画像情報変換部５ｄに登録されている、画像情報のネガポジ変換等の変換処理に供する種々のパラメータは、露光条件演算部５ｃで求めた露光条件にてフィルム２の画像コマを印画紙３に投影露光して印画紙３上に形成する画像と同等の画像、つまりシミュレート画像コマをモニター５０に後述する所定の多数コマ表示パターンで表示できるように設定されている。露光条件演算部５ｃでは、キーボード６０よりＹ（イエロー），Ｍ（マゼンタ），Ｃ（シアン）の各色の露光量の増減又は写真の濃度変化に相当する露光量の平均的な増減を命令されることで、露光条件の補正を行う。
【００２１】
画像情報記憶部５ｂには、撮像装置２１ｃにて１オーダ分のフィルム２の画像コマから読み取った画像データが記憶できるので、画像情報変換部５ｄが画像情報記憶部５ｂから複数の画像コマの画像データを読み出して変換処理し、複数のシミュレート画像コマを特定の多数コマ表示パターンで同時にモニター５０に表示することができる。
【００２２】
この写真処理装置には、オペレータがモニター５０に表示されたシミュレート画像コマを見なから露光条件等の補正の要否を判定するマニュアル処理モードと、オペレータによる判定なしで露光条件演算部５ｃで求められた露光条件でプリント処理を行うオート処理モードが備えられており、マニュアル処理モードが選択されると、モニター５０にシミュレート画像コマが特定の多数コマ表示パターンで表示される。モニター５０に複数のシミュレート画像コマを表示するため多数コマ表示パターンとしては、図５に示す４つのシミュレート画像コマ５１を表示する４コマ表示パターンが一例としてあげられる。
【００２３】
上述のことからわかるように、コントローラ５は、写真フィルム２から読み取られた画像コマ信号を処理してモニター５０に複数のシミュレート画像コマを表示するための複数の多数コマ表示パターンを生成する画像処理手段として機能している。
【００２４】
４コマ表示パターンでは、フィルム２での配列順に４つのシミュレート画像コマ５１が順次表示され、各シミュレート画像コマ５１の下側に配置された各シミュレート画像コマ５１のためのデータ表示領域５２には、フィルム読取装置２１の測光値から求めた平均濃度値と、そのコマのコマ番号と、プリント枚数とが表示されている。また、各シミュレート画像コマ５１の右側に配置されたデータ表示領域５３には、Ｙ，Ｍ，Ｃの各色に対するキーボード６０から人力された補正値と濃度補正値が表示されている。また、各シミュレート画像コマ５１が印画紙３にプリントするときのタイプを表示するタイプ表示領域５４が設けられている。タイプ表示領域５４における、”Ｃ”はクラシックタイプ、”Ｐ”はパノラマタイプ、”Ｈ”はハイビジョンタイプを示すものである。
【００２５】
また、領域５５はプリントチャンネルの名称を表示している。プリントチャンネルとは、プリント (焼付露光) に使用する印画紙やネガマスクなどの機器と、仕上げるプリントの状態などを登録したものをいう。上記のＣタイプ、Ｐタイプ、Ｈタイプと言った異なる印画紙サイズをプリントするときには、各プリントサイズに合ったプリントチャンネルに切り換えてプリントをする。１つのプリントチャンネルに登録しておく内容は、プリントに使用する印画紙マガジン、プリントサイズ、使用するネガマスクとネガフィルムの送り方向などである。
【００２６】
図６にキーボード６０の平面図が示されている。キーボード６０からの出力信号は、キーボードインターフェースとしてのキーボード制御ユニット８０を介して中央制御部５ａに送られる。キーボード６０には写真処理装置１を操作するための種々のキーが設けられている。
【００２７】
まず、キーボード６０の右側領域にテンキーを構成する”１”キー６１ａ、”２”キー６１ｂ、”３”キー６１ｃ、”４”キー６１ｄ、”５”キー６１ｅ６”キー６１ｆ、”７”キー６１ｇ、”８”キー６１ｈ、”９”キー６１ｉ、”０”キー６１ｊ、か一般的なテンキー配列で配置されている。さらに、”Ａ”キー６１ｋが”３”キー６１ｃの下側に配置されている。キーボード６０の中央上側領域には、”ＭＥＮＵ”キー６２と”ＳＨＩＦＴ”キー６３か配置されている。
【００２８】
多数コマ表示パターンの切り換えは、”ＭＥＮＵ”キー６２を押すことにより、モニター５０にメニュー画面を表示し、そこで所望の多数コマ表示パターンを選択することによって行われる。
【００２９】
”１”キー６１ａから”６”キー６１ｆにはキータッチ面の左上に識別ディバイスとしてのＬＥＤ６４が装着されている。図５で示す４コマ表示パターンの場合”１”キー６１ａ、”２”キー６１ｂ、”４”キー６１ｄ、”５”キー６１ｅのＬＥＤ６４が点灯し、これらのキーだけがモニター５０に表示されている４つのシミュレート画像コマ５１を選択するために用いられることが示される。つまり、”１”キー６１ａを押すことにより図５の左下のシミュレート画像コマ５１にカーソル５４が移動し、そのシミュレート画像コマ５１が選択される。同様に、図５の右下のシミュレート画像コマ５１を選択するためには”２”キー６１ｂを押し、図５の左上のシミュレート画像コマ５１を選択するためには、”４”キー６１ｄを押し、図５の右上のシミュレート画像コマ５１を選択するためには”５”キー６１ｅを押せばよい。つまり、図５に示された４つのシミュレート画像コマ５１の配置と選択キーとしての”１”キー６１ａ、”２”キー６１ｂ、”４”キー６１ｄ、”５”キー６１ｅの配置が一致しているので、選択作業がスムーズとなる。
【００３０】
メニュー方式で４コマ表示パターン又は６コマ表示パターンヘの切り換え時における、シミュレート画像コマ５１を選択するために用いられるキーのＬＥＤ６４の点灯はキーボード制御ユニット８０に備えられている選択キ−制御手段８１によって行われる。
【００３１】
また、シミュレート画像コマ５１の選択のために、従来通りの１シミュレート画像コマ毎のカーソル５４の移動を行うそれぞれ異なる方向を入力する４つのカーソルキー６７もキーボード６０の中央下側領域に配置されている。選択されたシミュレート画像コマ５１に対して、テンキーを用いた焼付枚数の入力のほか、露光条件の補正入力も行われるが、この目的のために、テンキーの上側にそれぞれＹ、Ｍ、Ｃの各色を特定する”Ｙ”キー、”Ｍ”キー、”Ｃ”キーからなる色特定キー６８が配置されており、補正値のディクリメントのための”−１”キー６９ａと補正値のインクリメントのための”十１”キー６９ｂがキーボード６０の左側領域に配置されている。”ＳＴＡＲＴ”キー６０１は、モ二ター５０に表示されたシミュレート画像コマ５１の更新処理や、補正要否チェックの完了したフィルム２に対するプリント処理への移行や、モニター画面上の項目の選択のためなどに用いられる。" ＣＨＧ" キー６０２は従来技術のときに少し説明したが、図５に示されるモニター画面において、現在選択されている画像コマ５１のプリントするタイプを変更するときに用いる。”ＰＡＳＳ”キー６０３は、現在選択されている画像コマ５１のプリント枚数を０にするときや、モニター画面上の項目の選択などに用いる。
【００３２】
＜ネガフィルムのプリント作業の流れ＞
次に、ネガフィルムをプリントするときの作業の流れの概要を説明する。
まず”ＭＥＮＵ”キー６２を押して図７に示すメニュー画面を出す。カーソルキー６７を押して、カーソルをプリントモードに移動し”ＳＴＡＲＴ”キー６０１か”ＰＡＳＳ”キー６０３を押してプリントモードを選択する。プリントモードにはフィルム読取装置２１の補正結果をモニター画面で確認するＰＪＰモードや、色・ 濃度補正をフィルム読取装置２１にまかせ画面表示せずプリントするＡＵＴＯモードなどがあるが、本実施形態ではＰＪＰモードを選択したものとする。
【００３３】
カーソルキー６７を押して、カーソルを画面表示モードに移動し、”ＰＡＳＳ”キー６０３か”ＳＴＡＲＴ”キー６０１を押して４コマか６コマかなどを選択する。ここでは図５に示される４コマ表示モードを選択する。次にカーソルキー６７を押して、カーソルをチャンネル自動切換えに移動し”ＰＡＳＳ”キー６０３か”ＳＴＡＲＴ”キー６０１を押してＯＮに設定する。これによりタイプの異なるプリントを行うことができる。
【００３４】
次にグループチャンネルの選択を行う。グループチャンネルは、１３５タイプのフルサイズとパノラマサイズ、１３５タイプのＬ版と２Ｌ版、アドバンスフォトシステムのＣ，Ｈ，Ｐタイプなど、プリントサイズを自動的に切り換えてプリントするときに使用するものである。図８はグループチャンネル選択画面の表示例であり、グループチャンネルの表示部分（ＧＣＨ）にカーソルを表示し”ＹＥＳ”キー６５を押す。ここではグループチャンネル０４ (名称ＡＰＳ１）を選択するものとする。”ＹＥＳ”キー６５を押すと、図９のような画面が横線によって上下に分かれ、上側には選択したグループチャンネルの設定内容が表示され、下側にはグループチャンネルに設定できるプリントチャンネルの一覧が表示される。  グループチャンネルにプリントチャンネルを設定して登録する手順を説明する。”ＰＡＳＳ”キー６０３か”ＳＴＡＲＴ”キー６０１を押して、グループチャンネル内のどのチャンネルに設定するかを選択する。アドバンスフォトシステムではＣ，Ｐ，Ｈの３つのチャンネルがあり、設定するプリントチャンネルにカーソルを移動し、”ＰＡＳＳ”キー６０３か”ＳＴＡＲＴ”キー６０１を押して、、グループチャンネル内のチャンネルを切り換える。いったん設定したプリントチャンネルを取り消すときは、画面下側で”取り消し”をカーソルキー６７で選択する。最後に”ＹＥＳ”キー６５を押してグループチャンネルを登録する。このように、Ｃ，Ｐ，Ｈの３つのプリントチャンネルをもつグループチャンネルにおいて３つすべてを登録するのではなく、任意の一部を未登録 (未設定) にすることができる。図９の例ではＰタイプに対応するＰチャンネル (画面下側の０２チャンネル）が未設定となっている。
【００３５】
次に、ネガフィルムを収納したフィルムカートリッジをカートリッジマガジンに挿入する (不図示）。ネガフィルムはネガマスクに送り込まれ、フィルム読取装置２１により読み取られた画像コマがシミュレート画像コマとして図５のようにモニター画面上に表示される。領域５４にはＣ，Ｈ，Ｐのプリントタイプが表示されている。ネガフィルムの画像コマがどのプリントタイプかは、ネガフィルムの画像の大きさをセンサーにより自動検出することができる。あるいは、ネガフィルムの磁気情報部にプリントタイプが記録されているときは, その情報に従って、プリントタイプが設定される。プリントタイプを変更するときは”ＣＨＧ”キー６０２を押して表示を変える。表示は図１０に示すように変更される。Ｐタイプは未設定であるから、従来技術を示す図１２とは異なり”パス”と言う表示を伴うＰタイプのシミュレート画像は表示されず (スキップする) 、Ｃタイプ→Ｈタイプ→Ｃタイプの順に循環して表示される。したがって、ＣタイプからＨタイプに変更するのに”ＣＨＧ”キー６０２は１回押すだけですみ従来技術のように２回押す必要はない。従って、作業の効率が改善されるのである。以上のように、”ＣＨＧ”キー６０２は、特定の選択された画像コマに付いていずれのタイプで焼き付けるかをモニター画面上で順番に切り換え設定することのできるタイプ切換手段として機能する。
【００３６】
また、図１０のようなチャンネル未設定時のスキップさせる表示形態と、従来技術のようなスキップさせないで”パス”と表示させる表示形態とは切り換えて使用することができる。その方法は、図７に示されるメニュー画面で拡張メニューを選択して拡張メニュー画面をモニターに表示させ (不図示) 、拡張メニューの中から「機能選択」を選択して、図１１に示すような機能選択画面を表示させる。そしてチャンネル未設定時のスキップにカーソル６７を移動させて、”ＰＡＳＳ”キー６０３か”ＳＴＡＲＴ”キー６０１を押して「する」か「しない」を選択する。最後に”ＹＥＳ”キー６５を押せば登録される。「する」を選択すれば図１０のような切換表示態様 (第１の態様）をとり、「しない」を選択すれば図１２のような切換表示態様 (第２の態様) をとる。従って、”ＰＡＳＳ”キー６０３または”ＳＴＡＲＴ”キー６０１は、第１の態様と第２の態様のいずれかを選択する切換態様選択手段として機能する。このように、いずれかの態様をユーザーの好みに応じて使い分けることができるので便利である。なお、図１２において「パス」と表示された態様は、プリント枚数を 0枚に設定するために”ＰＡＳＳ”キー６０３を押したときの表示と同じである。
【００３７】
さて、プリントタイプの選択が完了し、その他色・ 濃度の補正の設定やプリント枚数の指定などが完了したら”ＳＴＡＲＴ”キー６０１を押してプリントを開始する。
【００３８】
＜変形例＞
本実施形態ではＣ，Ｈ，Ｐの３つのタイプを有するグループチャンネルで、そのうちの 1つを未設定にした例を説明したが、１３５タイプのＦ (フル) 、Ｐ (パノラマ) の２つのタイプを有するグループチャンネルで、そのうちのいずれかを未設定にした場合にも応用できる。ただし、この場合には、”ＣＨＧ”キー６０２を押しても画面上変化はない。もちろん、４つ以上のタイプを有するグループチャンネルにも応用できる。
【図面の簡単な説明】
【図１】本発明の画像コマ選択装置を採用した写真処理装置の斜視図
【図２】ネガフィルムと印画紙の流れを示す図１による写真処理装置の模式図
【図３】図１による写真処理装置のブロック図
【図４】コントローラのブロック構成図
【図５】４コマ表示パターンでのモニター表示を示す例示図
【図６】キーボードの平面図
【図７】メニュー画面の表示例を示す図
【図８】グループチャンネル選択画面の表示例を示す図
【図９】グループチャンネル設定画面の表示例を示す図
【図１０】本発明による表示切換態様を示す図
【図１１】機能選択画面の表示例を示す図
【図１２】従来技術による表示切換態様を示す図
【符号の説明】
２      写真フィルム
３      印画紙
５      コントローラ
５０    モニター
５１    シミュレート画像コマ
６０    キーボード
６５    ＹＥＳキー
６０１  ＳＴＡＲＴキー
６０２  ＣＨＧキー
６０３  ＰＡＳＳキー
【図１】
0003879887.tif 000002
【図２】
0003879887.tif 000003
【図３】
0003879887.tif 000004
【図４】
0003879887.tif 000005
【図５】
0003879887.tif 000006
【図６】
0003879887.tif 000007
【図７】
0003879887.tif 000008
【図８】
0003879887.tif 000009
【図９】
0003879887.tif 000010
【図１０】
0003879887.tif 000011
【図１１】
0003879887.tif 000012
【図１２】
0003879887.tif 000013